(57)【特許請求の範囲】
【請求項１】
基板に形成された光導波路に入射した波長の異なる複数の光波に対してスクランブルをかける光導波路素子を含んでなる導波路型偏波スクランブラにおいて、
前記光導波路の長さと、前記光導波路の常光及び異常光の屈折率を、前記入射した波長の異なる複数の光波を合成して得られる単一の出射光の偏光度が１０％以下となるように設定することを特徴とする、導波路型偏波スクランブラ。
【請求項２】
前記基板は少なくとも電気光学効果を有し、該基板に位相変調させるための電極を設けたことを特徴とする、請求項１に記載の導波路型偏波スクランブラ。
【請求項３】
前記光導波路素子に異方性結晶を接続したことを特徴とする、請求項１または２に記載の導波路型偏波スクランブラ。
【請求項４】
前記光導波路素子に定偏波ファイバを接続したことを特徴とする、請求項１または２に記載の導波路型偏波スクランブラ。
【請求項５】
基板に形成された光導波路に入射した波長の異なる複数の光波に対しスクランブルをかける光導波路素子を含んでなる導波路型偏波スクランブラを用いる偏波スクランブリング方法において、
前記光導波路の長さと、前記光導波路の常光及び異常光の屈折率を、前記入射した波長の異なる複数の光波を合成して得られる単一の出射光の偏光度が１０％以下となるように設定することを特徴とする、偏波スクランブリング方法。
【請求項６】
前記基板は少なくとも電気光学効果を有し、該基板に前記位相変調のための電極を設け、前記電極に、正弦波電圧を１周期の整数倍分印加することを特徴とする、請求項５に記載の偏波スクランブリング方法。
【発明の詳細な説明】
【０００１】
【発明の属する技術分野】
本発明は、偏波スクランブラ及び偏波スクランブリング方法に関し、さらに詳しくは、波長を多重化した場合の長距離伝送において有効に使用することができる、偏波スクランブラ及び偏波スクランブリング方法に関する。
【０００２】
【従来の技術】
高速デジタル通信などにおいて長距離伝送を行う場合には、多数の光ファイバアンプが用いられる。
例えば、日本から米国への海底を通じた長距離伝送の場合は、全長数１０００ｋｍに対し、約数１０ｋｍ毎に光ファイバアンプを用いる必要があるため、合計数１００個の光ファイバアンプが必要になる。
【０００３】
この光ファイバアンプは偏波依存性を有するため、多数の光ファイバアンプを用いると、この偏波依存性が重畳されて、偏波ホールバーニング（ＰＨＤ）、及び偏波依存性損失（ＰＤＬ）などを生じ、伝送する信号の劣化を生じる。
したがって、従来、この偏波依存性を低減するために、光ファイバアンプ中を伝送する偏波に対してスクランブルをかけて、偏光度（ＤＯＰ：Ｄｅｇｒｅｅ  ｏｆ  Ｐｏｌａｒｉｚａｔｉｏｎ、以下、ＤＯＰという場合がある）を規定値以下とし、ランダム偏光とする方法が取られていた。
【０００４】
また、近年においては、伝送量を増加させるために、波長を多重化する試みがなされている。
【０００５】
【発明が解決しようとする課題】
しかしながら、波長の多重化に際しては、使用する波長の数に応じた光源、強度変調器などが必要になるばかりでなく、偏波スクランブラの数も波長の数に応じて設置する必要があり、送信機の構成が非常に複雑になるという問題があった。
【０００６】
本発明は、上記問題点に鑑み、送信機の構成を簡略化すべく、新規な偏波スクランブラ及び偏波スクランブリング方法を提供するものである。
【０００７】
【課題を解決するための手段】
本発明者らは、上記問題点を解決すべく鋭意検討した結果、偏波スクランブラには、以下に示すような特性があることを発見した。
【０００８】
図３に示すような構成の偏波スクランブラを用いて、図１に示すような、２波長を用いた偏波スクランブラの測定系を構成し、波長可変光源１の波長を１５５５．０ｎｍに固定し、波長可変光源２の波長を可変して、その合成波のＤＯＰを偏光分析器５で調べた。
その結果、偏波スクランブラを構成する光導波路素子１０の信号電極１３に、スクランブリングを生じさせるための１周期の整数倍の正弦波電圧を印加しない場合においても、偏波スクランブラ４に使用した光導波路長１２に応じて、図２に示すようなＤＯＰ曲線Ａ及びＢが得られた。
【０００９】
図２において、横軸は波長可変光源２の波長を、縦軸は波長可変光源１の波長１５５５．０ｎｍと波長可変光源２の波長との合成波のＤＯＰを表す。ＤＯＰ曲線Ｂは、１．５５μｍ帯の波長に対して屈折率ｎo＝２．２８６、屈折率ｎe＝２．２０２を示す長さ５９ｍｍの光導波路１２を使用した場合のＤＯＰ曲線であり、ＤＯＰ曲線Ａは、１．５５μｍ帯の波長に対して屈折率ｎo＝２．２８６、屈折率ｎe＝２．２０２を示す長さ６７ｍｍの光導波路１２を使用した場合のＤＯＰ曲線である。ここで、屈折率ｎoは常光の屈折率を、屈折率ｎeは異常光の屈折率を表す。
【００１０】
これらのＤＯＰ曲線Ａ及びＢは、波長可変光源２の波長の変化に対して周期性を示すことがわかった。すなわち、図２に示すように、波長可変光源２の波長が一定間隔毎に、周期的に、ＤＯＰがほぼ０となる極小値が得られることがわかった。ＤＯＰ曲線Ｂでは、ＤＯＰがほぼ０となる波長と波長の最小間隔は０．５４ｎｍであり、ＤＯＰ曲線Ａでは、ＤＯＰがほぼ０となる波長と波長の最小間隔は０．４６ｎｍであった。
【００１１】
また、３波長以上の偏波スクランブラの測定系を用いて、合成波のＤＯＰを測定した場合においても、上記２波長の場合と同様の特性を示すＤＯＰ曲線が得られることが分かった。
【００１２】
したがって、使用する複数の波長に応じて、屈折率及び長さを適宜に選択することにより、単一の偏波スクランブラを用いてＤＯＰをほぼ０とすることができ、ランダム偏光とすることができる。
【００１３】
例えば、図２に示すように、光導波路の屈折率をｎo ＝２．２８６、ｎe ＝２．２０２、長さを５９ｍｍとした場合、波長として１５５５．０ｎｍと１５５５．２７ｎｍを選択すると、このときのＤＯＰは図２のＣ点に相当し、その値はほぼ０となる。
すなわち、使用する波長が１５５５．０ｎｍと１５５５．２７ｎｍである場合は、光導波路として、屈折率ｎo ＝２．２８６、ｎe ＝２．２０２、長さ５９ｍｍのものを選択すれば、ＤＯＰをほぼ０にすることができる。
３波長以上の場合も同様であり、使用する複数の波長に対してＤＯＰがほぼ０となるような屈折率及び長さの光導波路を選択すればよい。
【００１４】
本発明は、上記発見に基づいてなされたものである。
すなわち、本発明は、基板に形成された光導波路に入射した波長の異なる複数の光波に対してスクランブルをかける光導波路素子を含んでなる導波路型偏波スクランブラにおいて、前記光導波路の長さと、前記光導波路の常光及び異常光の屈折率を、前記入射した波長の異なる複数の光波を合成して得られる単一の出射光の偏光度が１０％以下となるように設定することを特徴とする、導波路型偏波スクランブラである。
【００１５】
また、本発明は、基板に形成された光導波路に入射した波長の異なる複数の光波に対してスクランブルをかける光導波路素子を含んでなる導波路型偏波スクランブラを用いる偏波スクランブリング方法において、前記光導波路の長さと、前記光導波路の常光及び異常光の屈折率を、前記入射した波長の異なる複数の光波を合成して得られる単一の出射光の偏光度が１０％以下となるように設定することを特徴とする、偏波スクランブリング方法である。
【００１６】
本発明の偏波スクランブラ及び偏波スクランブリング方法を用いることにより、光導波路素子に電圧を印加することなく、単一の偏波スクランブラで波長の異なる複数の光波のスクランブリングを行うことができる。したがって、使用する波長毎に偏波スクランブラを使用していた従来の場合に比較して、送信機の構造を極めて簡略なものとすることができる。
【００１７】
なお、上記において、偏光度が１０％以下というのは、図２に示すＤＯＰ曲線が極小値を取る場合、例えば、図２のＣ点に相当するような場合をいう。このような状態では、ＤＯＰが０となるのが理想であるが、実際には、温度、波長などの影響によって正確に０とはならないため、偏光度１０％以下をもって偏光度０と見なすものである。
【００１８】
【発明の実施の形態】
以下、本発明を発明の実施の形態に基づいて詳細に説明する。
本発明の偏波スクランブラは、図３に示すような、少なくとも電気光学効果を有する基板に形成された光導波路と、前記光導波路に入射した複数の光波に対して、位相変調させるための電極とを有する光導波路素子からなる。なお、図には示していないが、光導波路への入射偏光を高い精度でコントロールする目的で、導波路入射部に偏光子を配置することが好ましい。
【００１９】
図３に示すような光導波路素子は以下のようにして製造する。
基板１１には、ニオブ酸リチウム（ＬｉＮｂＯ3 ）、タンタル酸リチウム（ＬｉＴａＯ3 ）、及びジルコン酸チタン酸鉛ランタン（ＰＬＺＴ）などの電気光学効果を有する基板を使用する。
【００２０】
この基板１１上にフォトリソグラフィの技術を用いて、幅５〜１０μm の導波路パターンを形成する。
【００２１】
その後、チタン（Ｔｉ）、ニッケル（Ｎｉ）、銅（Ｃｕ）、及びクロム（Ｃｒ）などの物質を、蒸着法及びスパッタリング法などを用いて、厚さ６００〜８００Åに堆積させる。
続いて、酸素又はアルゴン雰囲気中で、温度約１０００℃で、１０〜２０時間加熱することにより、前記物質を前記電気光学効果を有する基板内へ拡散させて、光導波路１２を形成する。
【００２２】
この光導波路の長さ及び屈折率は、本発明の目的を達成すべく適宜に選択する。一般に、屈折率は、使用する基板材料と基板面の結晶方位、さらには光導波路を形成するチタンなどの前記物質によって一義的に決定される。したがって、このようにして決定された光導波路の屈折率に対して、その長さを調節することによって、ＤＯＰが１０％以下、すなわち０となるようにすることが好ましい。しかしながら、導波路長を一定にして、上記ｎo とｎe との差を変えることによってもＤＯＰを０とすることもできる。
【００２３】
例えば、基板１１としてニオブ酸リチウムを用い、光導波路１２を形成する物質としてチタンを用いると、光導波路１２の屈折率はｎo ＝２．２８６、ｎe ＝２．２０２になるため、１５５５．０ｎｍ及び１５５５．２７ｎｍの２波長を用いた場合は、図２に示すように、光導波路１２の長さを５９ｍｍにすることにより、ＤＯＰを０とすることができる。
【００２４】
一般に、光導波路１２の屈折率はｎo が約２．２８６、ｎe が約２．２０２であり、使用する波長の間隔を０．４６〜０．５４ｎｍに設定する場合、光導波路１２の長さは５９ｍｍ〜６７ｍｍである。
【００２５】
次に、信号電極１３及び接地電極１４ａ、１４ｂを、蒸着法及びメッキ法を併用することにより、厚さ５〜３０μｍに形成する。電極としては、金（Ａｕ）、銀（Ａｇ）、及び銅などを使用することができる。
【００２６】
このようにして形成した光導波路素子１０に金属膜によるコーティングなどを施し、さらに、図示はしないが、導波路入射端に偏光子、高周波用電極配線などを設置することにより最終的な偏波スクランブラを得ることができる。
【００２７】
図４に示すように、具体的な波長多重方式の送信機は、使用する波長の数に応じた数の光源２１と光強度変調器２２とを設置し、光源２１から出射された光が光強度変調器２２を通過した後に合成されて、偏波スクランブラ２３に入射するように構成されている。
【００２８】
そして、使用する波長に対してＤＯＰが０となるように、図３における光導波路１２の屈折率及び長さを変化させる。
このように複数の波長を用いた場合において、そのＤＯＰを０にするには、複数の波長の内、１つの波長を除き、残りの全ての波長を入射しておき、さらに前記１つの波長を合波させて、ＤＯＰが０になるように光導波路の屈折率及び長さを変化させる。
【００２９】
また、上述したような導出法では、ＤＯＰが０、すなわち、図２に示すようなＤＯＰ曲線において、ＤＯＰが極小となるような光導波路の屈折率及び長さを正確に導出するのは困難であるため、光導波路１２が形成されている光導波路素子１０の端面に、異方性結晶あるいは定偏波ファイバを設けて、微細な調節を行うこともできる。
異方性結晶としてはＬｉＮｂＯ3 などを使用することができ、定偏波ファイバとしては市販の定偏波ファイバなどを使用することができる
【００３０】
また、図２からも明らかなように、ＤＯＰ曲線は周期性を示し、ＤＯＰもほぼ一定の間隔をもって０となるため、使用する波長と光導波路１２の長さ及び屈折率は１対１に対応しない。
例えば、屈折率ｎo ＝２．２８６、ｎe ＝２．２０２、長さ５９ｍｍの光導波路１２に対して、使用する一方の波長を１５５５．０ｎｍとすると、図２に示すように、他方の波長が１５５５．２７ｎｍの場合ばかりでなく、この波長よりも約０．５４ｎｍ長い１５５５．８１ｎｍの波長を使用した場合、さらに、この波長よりも約０．５４ｎｍ長い１５５６．３５ｎｍの波長を使用した場合もＤＯＰ値が０となる。
【００３１】
ＤＯＰが０となる波長間隔は、常光と異常光の屈折率の差、または導波路の長さによって決まる。このため、常光と異常光の屈折率の差を大きくするか、または導波路の長さを長くするほど、ＤＯＰが０となる波長間隔を短くすることができる。
このＤＯＰが０となる間隔が短いほど、ある一定の波長帯域において、ＤＯＰが０となる割合が増すために、使用する波長の選択性が増すことになる。
【００３２】
上述したように偏波スクランブラに使用されている光導波路素子の、光導波路の屈折率はｎo ＝２．２８６、ｎe ＝２．２０２であり、また、その長さは５９〜６７ｍｍであるため、上記ＤＯＰが０となる間隔は０．５４〜０．４６ｎｍである。
【００３３】
したがって、光導波路素子単独では、ＤＯＰが０となる最小間隔は０．４６ｎｍであるので、これよりも小さい間隔を得て、使用する波長の選択性を増すには、前記したような異方性結晶あるいは定偏波ファイバを使用することが好ましい。
【００３４】
異方性結晶を偏波軸が合うように付加することにより、あるいは定偏波ファイバを偏波軸が合うように付加することにより、上記ＤＯＰが０となる間隔を微調整することができる。
また、上述の説明では、ＤＯＰが０となる最初の波長を選択して説明を行ったが、ＤＯＰが０となる波長のうち、複数番目にＤＯＰが０となる波長を選択することにより、広い波長間隔に対応させることも可能である。
つまり、図２に示したように、ＤＯＰが０となる波長は、周期的に現れるので、例えば、２番目にＤＯＰが０となる波長を選択すれば、０．５４ｎｍの２倍の１．０８ｎｍを最小間隔として選択することができる。また、同様に３番目にＤＯＰが０となる波長を選択すれば、０．５４ｎｍの３倍の１．６２ｎｍを最小間隔として選択することもできる。このように、ＤＯＰが０となる波長を任意に選択することにより、非常に広い波長間隔を設定することも可能である。
【００３５】
また、上述したように、偏波スクランブラ４を構成する光導波路素子１０の信号電極１３に、１周期の整数倍の正弦波電圧を印加しない場合においても、図２に示すＤＯＰ曲線を得ることができるため、光導波路の屈折率及び長さを適宜に選択することにより、ＤＯＰを０とすることができ、本発明の目的を達成することができる。
【００３６】
しかしながら、本発明では、信号電極１３に正弦波電圧を印加することを排除するものではない。偏波依存性損失を有効に低減するためには、信号電極１３に１周期の整数倍の正弦波電圧を印加することが好ましい。
【００３７】
一方、図５に示すように、従来の各波長毎に偏波スクランブラを使用する構成では、印加する電圧値に応じて各波長のＤＯＰが変化する（図５の曲線Ｈ，Ｉ参照）。
これに対し、本発明の偏波スクランブラは、ＤＯＰが０となるように光導波路の屈折率及び長さを一端決定すると、印加する電圧値に依存することなく、ＤＯＰは常に０となる（図５の曲線Ｊ参照）。
したがって、ランダム偏光を保ったままの状態で、偏波依存性損失を有効に低減することができる。
上記のような目的で印加する電圧値は、５〜１５Ｖであることが好ましい。
【００３８】
【実施例】
以下、本発明を実施例に基づいてさらに詳細に説明する。
実施例１
ＬｉＮｂＯ3 基板上に、屈折率ｎo ＝２．２８６、ｎe ＝２．２０２、長さ５９ｍｍのＴｉで熱拡散し形成される光導波路を形成し、さらに、金（Ａｕ）からなる信号電極及び接地電極を形成して、図３に示すような光導波路素子を製造した。
【００３９】
次に、上記光導波路素子からなる偏波スクランブラを用いて、図１に示すような測定系を作製した。
１５５５．０ｎｍ及び１５５５．２７ｎｍの２波長を選択し、偏波スクランブラ４を出た光のＤＯＰを偏光分析器５で測定したところ、５．０％であった。
【００４０】
一方、上記偏波スクランブラ及び測定系を用い、さらに、一方の波長を１５５５．０ｎｍに固定して、他方の波長を変化させたところ、図２の曲線Ｂに示すようなＤＯＰ曲線が得られ、上記１５５５．２７ｎｍの波長は図２のＣ点に相当することが分かった。
【００４１】
したがって、１５５５．０ｎｍ及び１５５５．２７ｎｍの２波長を選択した場合、上記のような光導波路を有する光導波路素子から偏波スクランブラを構成することにより、単一の偏光スクランブラでランダム偏光化が可能であることが分かる。
また、ＤＯＰが０となる間隔は０．５４ｎｍであった。
【００４２】
実施例２
実施例１と同じ１５５５．０ｎｍ及び１５５５．２７ｎｍの２波長を用い、さらに実施例１と同じ偏波スクランブラ及び測定系を用いるとともに、７．４Ｖの正弦波電圧を１周期分印加したところ、ＤＯＰ＝６％であった。
【００４３】
また、上記において正弦波電圧値を変化させたところ、図５の曲線Ｊに示すようなＤＯＰ曲線を得られた。
【００４４】
実施例３
光導波路素子は実施例１と同様にして製造した。
【００４５】
次に、上記光導波路素子からなる偏波スクランブラを用いて、図６に示すような測定系を作製した。
１５５５．０ｎｍ、１５５５．２７ｎｍ、１５５５．５４ｎｍ、及び１５５５．８１ｎｍの４波長を用い、偏波スクランブラ３３から出た光のＤＯＰを偏光分析器３４で測定したところ、５．０％であった。
【００４６】
一方、上記偏波スクランブラ及び測定系を用い、１５５５．０ｎｍ、１５５５．２７ｎｍ、および１５５５．５４ｎｍの３波を入射し、さらに残りの１波長を変化させながら合波したところ、図７に示すようなＤＯＰ曲線が得られ、上記１５５５．８１ｎｍの波長は図７のＥ点に相当することが分かった。
【００４７】
したがって、１５５５．０ｎｍ、１５５５．２７ｎｍ、１５５５．５４ｎｍ、及び１５５５．８１ｎｍの４波長を選択した場合、上記のような光導波路を有する光導波路素子から偏波スクランブラを構成することにより、単一の偏光スクランブラでランダム偏光化が可能であることが分かる。
また、ＤＯＰが０となる間隔は０．５４ｎｍであった。
【００４８】
実施例４
実施例３と同じ１５５５．０ｎｍ、１５５５．２７ｎｍ、１５５５．５４ｎｍ、及び１５５５．８１ｎｍの４波長を用い、さらに実施例３と同じ偏波スクランブラ及び測定系を用いるとともに、７．４Ｖの正弦波電圧を１周期分印加したところ、ＤＯＰは６％であった。
【００４９】
また、上記において正弦波電圧値を変化させたところ、図８の曲線Ｔに示すようなＤＯＰ曲線が得られた。
【００５０】
実施例５
実施例１と同様にして作製した光導波路素子の端面に、８ｍｍ長のＬｉＮｂＯ3 異方性結晶素子を接続して、全長６７ｍｍの偏波スクランブラを形成した。
【００５１】
一方の波長を１５５５．０ｎｍに固定し、他方の波長を可変させる２波長系において、ＤＯＰ曲線を作成したところ、図９に示すようなＤＯＰ曲線が得られた。ＤＯＰが０となる間隔は０．４６ｎｍであった。
【００５２】
実施例６
実施例１と同様にして作製した光導波路素子の端面に、定偏波光ファイバを接続して偏波スクランブラを形成した。
【００５３】
一方の波長を１５５５．０ｎｍに固定し、他方の波長を可変させる２波長系において、ＤＯＰ曲線を作成したところ、図１０に示すようなＤＯＰ曲線が得られた。ＤＯＰが０となる間隔は０．４６ｎｍであった。
【００５４】
実施例７
実施例１で得られた偏波スクランブラを、１０〜５０℃まで１０℃毎に変化させて、図２に示すＤＯＰ曲線において極小となるＣ点及びＤ点の温度依存性を調べた。
結果を表１に示す。
【００５５】
【表１】
0003932221.tif 000002
【００５６】
実施例１及び３から明らかなように、本発明の偏波スクランブラ及び偏波スクランブリング方法を用いることにより、２波長あるいは４波長からなる複数の波長を用いた場合においても、単一の偏波スクランブラで使用する波長の偏波をスクランブリングできることが分かる。
【００５７】
また、実施例２及び４から明らかなように、図５の曲線Ｈ，Ｉ及び図８の曲線Ｐ，Ｑ，Ｒ，Ｓに示す、従来の偏波スクランブラ及び偏波スクランブリング方法を使用したＤＯＰ曲線は、印加する電圧値に応じて、ＤＯＰ値が変化するが、本発明の偏波スクランブラ及び偏波スクランブリング方法にしたがった場合は、印加する電圧値が変化してもＤＯＰ値を０に保つことができる。すなわち、偏波スクランブラに１周期分の正弦波電圧を印加することにより、ＤＯＰを０に保ったまま、偏波変調を加えることができることが分かる。
【００５８】
さらに、実施例５及び６より、光導波路素子にＤＯＰ最小ピッチ調整用の異方性結晶及び定偏波ファイバを接続することにより、ＤＯＰが０となる間隔を短くすることができ、一定の波長帯域における波長の選択性の増すことが分かる。
従って、使用する多波長の波長ピッチとＤＯＰ値の周期性を用いることにより、あらゆる周期の波長に対応できることがわかる。
【００５９】
また、実施例７より、ＤＯＰが０となる波長の位置は温度によらずほぼ一定であることが分かる。したがって、本発明の偏波スクランブラ及び偏波スクランブリング方法は温度依存性が少なく、温度変化に対しても極めて安定であることが分かる。
【００６０】
【発明の効果】
以上説明したように、本発明の偏波スクランブラ及び偏波スクランブリング方法を用いることにより、複数の波長を用いた場合においても、単一の偏波スクランブラで、温度変化に影響されることなく、使用する波長の偏波をスクランブリングすることができるとともに、偏波依存性損失を低減することができる。
したがって、波長多重方式の長距離伝送において、送信機の構成を簡略化することができる。
【００６１】
また、偏波スクランブラを構成する光導波路素子に、異方性結晶あるいは定偏波ファイバを接続することにより、使用する波長帯域において、使用する波長の選択性を増加させることができる。
【図面の簡単な説明】
【図１】２波長を用いた場合の偏波スクランブラの測定系を示す図である。
【図２】２波長を用いた場合のＤＯＰ曲線を示す図である。
【図３】本発明の偏波スクランブラに使用できる光導波路素子の一例を示す図である。
【図４】ｎ波長を用いた場合の偏波スクランブラの測定系を示す図である。
【図５】２波長の場合におけるＤＯＰ値の正弦波電圧の依存性を示す図である。
【図６】４波長を用いた場合の偏波スクランブラの測定系を示す図である。
【図７】４波長を用いた場合のＤＯＰ曲線を示す図である。
【図８】４波長の場合におけるＤＯＰ値の正弦波電圧の依存性を示す図である。
【図９】光導波路素子に異方性結晶を接続した場合のＤＯＰ曲線を示す図である。
【図１０】光導波路素子に定偏波ファイバを接続した場合のＤＯＰ曲線を示す図である。
【符号の説明】
１、２、２１、３１  波長可変光源
３、２２、３２      偏光調節器
４、２３、３３      偏波スクランブラ
５、２４、３４      偏光分析器
１０                光導波路素子
１１                基板
１２                光導波路
１３                信号電極
１４                接地電極
１５                信号源
Ａ                  光導波路長６７ｍｍにおけるＤＯＰ曲線
Ｂ                  光導波路長５９ｍｍにおけるＤＯＰ曲線
Ｃ、Ｄ、Ｅ          ＤＯＰ曲線の極小値
【図１】
0003932221.tif 000003
【図２】
0003932221.tif 000004
【図３】
0003932221.tif 000005
【図４】
0003932221.tif 000006
【図５】
0003932221.tif 000007
【図６】
0003932221.tif 000008
【図７】
0003932221.tif 000009
【図８】
0003932221.tif 000010
【図９】
0003932221.tif 000011
【図１０】
0003932221.tif 000012